(57)【要約】【課題】  「ため」などによりフレーズの先頭で歌い出しのタイミングが遅れたとしても、余計な模範ボーカル音声が出力されないようにしたガイドボーカル機能を備えたカラオケ装置を提供する。【解決手段】  歌唱音量測定手段と、制御手段を備え、模範ボーカル付きカラオケ音楽データを再生しマイクロホンからの歌唱入力音と混合して音響出力し、歌唱音量検出手段は、マイクロホンから入力される歌唱音声の音量を検出して歌唱音量値を出力し、制御手段は、フレーズ特定処理と、ガイドボーカル音量制御処理とを可能とし、フレーズ特定処理は、カラオケ音楽データに含まれる楽譜情報に基づきフレーズ先頭タイミングを特定し、ガイドボーカル音量制御処理は、歌唱音量値に基づきガイドボーカルの混合音量を加減制御するとともに、フレーズ先頭タイミングから所定期間においては、ガイドボーカル混合音量を最小に制御するカラオケ装置としている。【選択図】    図２
2005148627.tif 000002
【特許請求の範囲】
【請求項１】
歌唱音量測定手段と、制御手段を備え、模範ボーカル付きカラオケ音楽データを再生しマイクロホンからの歌唱入力音と混合して音響出力するカラオケ装置であって、
歌唱音量検出手段は、マイクロホンから入力される歌唱音声の音量を検出して歌唱音量値を出力し、
制御手段は、フレーズ特定処理と、ガイドボーカル音量制御処理とを可能とし、
フレーズ特定処理は、カラオケ音楽データに含まれる楽譜情報に基づきフレーズ先頭タイミングを特定し、
ガイドボーカル音量制御処理は、歌唱音量値に基づきガイドボーカルの混合音量を加減制御するとともに、フレーズ先頭タイミングから所定期間においては、ガイドボーカル混合音量を最小に制御する
カラオケ装置。
【請求項２】
フレーズ特定処理は、電子楽譜中のガイドメロディデータ、採点基準データ、歌詞描出データのいずれかに基づいてフレーズ先頭タイミングを特定する
請求項１に記載のカラオケ装置。
【請求項３】
フレーズ特定処理は、ガイドメロディデータが存在すれば当該データに基づき、ガイドメロディデータが無くて採点基準データが存在すれば当該データに基づき、ガイドメロディデータと採点基準データが無くて歌詞描出データが存在すれば当該データに基づき、フレーズ先頭タイミングを特定する
請求項１に記載のカラオケ装置。
【発明の詳細な説明】
【技術分野】
【０００１】
この発明はカラオケ装置に関し、とくに歌唱者が伴奏音楽についていきやすいように模範ボーカル音声を音響出力できるカラオケ装置に関する。
【背景技術】
【０００２】
カラオケ装置の付帯機能として、模範歌唱者（例えば、セミプロなど）によるボーカル音声を出力するガイドボーカル機能がある。この機能は模範歌唱者による歌唱音声をＡＤＰＣＭ形式などの録音データにし、その録音データをカラオケ楽曲に対応付けして用意しておく、そして、カラオケ楽曲の演奏と同期してその録音データを再生処理し、マイクロホンからの歌唱音声とカラオケ伴奏音楽と模範ボーカルとを混合して音響出力するものである。
【０００３】
そもそも、このガイドボーカル機能は、歌唱者が伴奏音楽について行けなくて歌唱が途絶えないように模範ボーカルを音声出力するもので、歌唱者が自然と歌についていけるようにアシストしたり、歌唱者が無言になったときの違和感を同伴者に与えないようしたりすることを目的としている。したがって、模範ボーカルは、歌唱者が正常に歌えているときには却って邪魔になる。そこで、マイクロホンから採取した歌唱音声に基づいて、例えば、歌唱音声が所定の音量以下になったときを歌唱者が歌いそびれたときとして、ガイドボーカルの音量を上げるなど歌唱状況に応じて模範ボーカルの音量を制御するガイドボーカル機能を備えたカラオケ装置がある。この模範ボーカルの音量制御技術については、以下の特許文献に開示されている。
【特許文献１】特開平０３−２９５９８号公報
【特許文献２】特開平０４−２９８７９３号公報
【特許文献３】特開２０００−４７６７７号公報
【特許文献４】特開２０００−２６７６７７号公報
【発明の開示】
【発明が解決しようとする課題】
【０００４】
上記各特許文献に開示されているガイドボーカル機能は、いずれも、歌唱音声が途絶えたり所定の音量以下になったりすると、模範ボーカルが音響出力される。しかし、フレーズの先頭など、歌い出しの部分では「ため」と呼ばれる、歌い出しのタイミングを故意に遅らせる歌唱テクニックがあり、従来のガイドボーカル機能では、この「ため」の無声部分を歌唱が途絶えたものと判断してガイドボーカルが音響出力してしまう。また、故意に「ため」をしなくても、歌い出しの部分では、普通、歌い出しが遅れ気味になる。そのため、フレーズの先頭で不必要なガイドボーカルが出力されることが多くなり、却って歌唱を妨げることがあった。
【課題を解決するための手段】
【０００５】
上記課題を解決するために本発明を創作した。本発明は、「ため」などによりフレーズの先頭で歌い出しのタイミングが遅れたとしても、余計な模範ボーカル音声が出力されないようにしたガイドボーカル機能に特徴を有するカラオケ装置を提供することを目的としている。
【０００６】
本発明のカラオケ装置は、つぎの要件（１）〜（５）を備えているものとする。  
（１）歌唱音量測定手段と、制御手段を備え、模範ボーカル付きカラオケ音楽データを再生しマイクロホンからの歌唱入力音と混合して音響出力するカラオケ装置であること。  
（２）歌唱音量検出手段は、マイクロホンから入力される歌唱音声の音量を検出して歌唱音量値を出力すること。  
（３）制御手段は、フレーズ特定処理と、ガイドボーカル音量制御処理とを可能とすること。  
（４）フレーズ特定処理は、カラオケ音楽データに含まれる楽譜情報に基づきフレーズ先頭タイミングを特定すること。  
（５）ガイドボーカル音量制御処理は、歌唱音量値に基づきガイドボーカルの混合音量を加減制御するとともに、フレーズ先頭タイミングから所定期間においては、ガイドボーカル混合音量を最小に制御すること。
【０００７】
またフレーズ特定処理は、電子楽譜中のガイドメロディデータ、採点基準データ、歌詞描出データのいずれかに基づいてフレーズ先頭タイミングを特定するカラオケ装置とすることもできる。
【０００８】
あるいは、フレーズ特定処理は、ガイドメロディデータが存在すれば当該データに基づき、ガイドメロディデータが無くて採点基準データが存在すれば当該データに基づき、ガイドメロディデータと採点基準データが無くて歌詞描出データが存在すれば当該データに基づき、フレーズ先頭タイミングを特定するカラオケ装置としてもよい。
【発明の効果】
【０００９】
【発明を実施するための最良の形態】
【００１０】
＝＝＝カラオケ装置の基本的な構成と動作＝＝＝
図１に本発明の実施例におけるカラオケ装置の機能構成を示した。  
このカラオケ装置１は、周知の通信カラオケシステムの演奏端末とほぼ同様のハードウエア構成となっている。中央制御部１１は、各周辺構成部を制御してカラオケ装置１を統括し、ハードディスク装置１２には多数のカラオケ楽曲について、ＭＩＤＩデータを主体とした音楽生成データと、歌詞画像の生成起源となる歌詞描出データとを含むカラオケ音楽データが蓄積されている。カラオケ音楽データには模範ボーカルの歌唱音声を収録したガイドボーカルデータを付帯するものもある。またハードディスク装置１２には、所定形式の長時間分の動画データと、動画データの処理シーケンス（処理すべき動画データの格納場所と処理順番など）を規定した台本データも格納されている。そして、中央制御部１１は、各楽曲のカラオケ音楽データや台本データを楽曲番号によって識別し、これをカラオケデータベースとして管理している。なお、中央制御部１１は、情報通信ネットワークに接続されているホスト装置とネットワークインタフェース２３を介して通信し、新規のカラオケ楽曲についてのカラオケ音楽データなどのダウンロードを受けて、カラオケデータベースを随時更新している。
【００１１】
カラオケ装置１の操作制御部１３は、リモコン送信器２４にて入力された楽曲番号を受光部１５を介して受け取ると、あるいは操作パネル１４にて入力された楽曲番号を受け取ると、そのコマンドを中央制御部１１に転送し、中央制御部１１は、その楽曲番号を内部のＲＡＭに格納して演奏処理の待ち行列で管理する。そして、待ち行列から楽曲番号を順次取り出し、該当のカラオケ音楽データをハードディスク装置１２より読み出し、このカラオケ音楽データ中の音楽生成データをシンセサイザ１９に転送して伴奏音楽を生成させる。
【００１２】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００１３】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００１４】
またカラオケ装置１は、ガイドボーカル機能を備え、ガイドボーカルデータを復号するためのＡＤＰＣＭデコーダ２５を備えている。中央制御部１１は、カラオケ楽曲の演奏中にリモコン送信器２４や操作パネル１４にて利用者入力されたガイドボーカルの出力指示を受け付けると、当該楽曲のガイドボーカルデータをＡＤＰＣＭデコーダ２５に転送する。ＡＤＰＣＭデコーダ２５にて再生されたガイドボーカルの音声信号は、ミキシングアンプ２０に入力され、伴奏音楽と歌唱音声に混合されてスピーカ２１より音響出力される。なお、演奏予約時に楽曲番号とともにガイドボーカル機能の起動指示を受け付け、演奏処理の待ち行列にその起動指示の旨を楽曲番号に対応付けして管理しておいてもよい。そして、待ち行列から取り出した楽曲番号にその起動指示が対応付けされている場合、該当楽曲の演奏時にガイドボーカル機能を起動させるようにしてもよい。
【００１５】
＝＝＝ガイドボーカル機能＝＝＝
カラオケ装置１のガイドボーカル機能では、マイクロホン２２に入力される歌唱音量に応じてガイドボーカルの音量を加減制御するモードも備えている。本実施例では、ガイドボーカル機能の動作モードとしてＯＮ／ＯＦＦ／自動の各モードがあり、リモコン送信器２４や操作パネル１４には、それらモードの切り替えボタンが配設されている。「ＯＮ」は楽曲演奏とともに模範ボーカル音声を所定の音量で音響出力し続けるモードであり、「ＯＦＦ」に切り替えると、起動中のガイドボーカル機能が停止する。ここでは「自動」のモードが選択されたものとする。
【００１６】
自動モードによるガイドボーカル機能では、音量測定部２６がマイクロホン２２からの音声信号の強度を測定し、その強度に応じた音量値を出力する。そして中央制御部１１は、この音量値の出力状況に応じてミキシングアンプ２０における模範ボーカルの混合音量を加減制御する。さらに、フレーズの先頭では「ため」や若干の歌いだしの遅れを考慮して不要な模範ボーカルが出力されないような制御も行う。中央制御部１１は、そのフレーズを音楽生成データに含まれるガイドメロディデータに基づいて特定している。ガイドメロディデータは、ＭＩＤＩデータに含まれるボーカルパートの旋律に相当し、ボーカルパートを構成する各音符についての情報が演奏時系列に対応付けされて記述されている。そこで、ボーカルパートにおいて、所定時間以上の無音部分があれば、これを歌唱しない区間（非歌唱区間）とすることができ、それ以外の区間を歌唱すべき区間（歌唱区間）とすることができる。そして、非歌唱区間が所定時間以上継続したときにその継続区間をフレーズとフレーズの合間として定義してフレーズを特定することができる。
【００１７】
本実施例では、中央制御部１１は、指定楽曲の演奏処理に先立って、音楽生成データ中のガイドメロディデータを抽出してこれを解析し、非歌唱区間が１秒以上ある場合、その直後の歌唱区間の先頭をフレーズの先頭とする。そして、その先頭における演奏開始時点からの経過時間をフレーズ先頭タイミングとして取得しＲＡＭなどに記憶する。
【００１８】
＝＝＝模範ボーカルの音量制御＝＝＝
中央制御部１１は、カラオケ楽曲の演奏に際し、ガイドボーカルデータをＡＤＰＣＭデコーダ２５に転送して模範ボーカルの音声信号を再生させる。そして、ガイドボーカル機能の起動指示を利用者入力により受け付けるまで、ミキシングアンプ２０におけるＡＤＰＣＭデコーダ２５からの音声入力を切断しておく。あるいは、ミキシンググアンプ２０における模範ボーカル音声の混合音量を最小に設定しておいてもよい。ガイドボーカル機能の起動指示の受け付け時点におけるカラオケ楽曲の演奏経過時間を取得し、ガイドボーカルデータをその演奏経過時間に対応する時点から再生するようにすることもできる。
【００１９】
中央制御部１１は、カラオケ楽曲の演奏中にガイドボーカル機能の起動指示を受け付けると、音量測定部２６からの歌唱音量値の出力状況に基づいてミキシンググアンプにおける模範ボーカル音声の混合音量を加減制御する。図２に歌唱音声の音量値と模範ボーカルの音量値との相関関係を演奏時系列に対応付けして示した。本実施例では、音量測定値の上限を０ｄｂ、下限を−９５ｄｂと想定するとともに、−４０ｄｂを閾値として、閾値未満の継続時間が４００ｍｓｅｃ（t2）継続した場合に、１００ｍｓｅｃごとに１２ｄｂずつ模範ボーカルの混合音量をフェードインさせて増加させていく。また、閾値以上が５００ｍｓｅｃ（t3）継続した場合は、正常に歌唱しているものとし、模範ボーカルが混合出力されている状態で、この正常歌唱状態を認知したならば、１００ｍｓｅｃごとに１２ｄｂずつ模範ボーカルの混合音量をフェードアウトさせて減少させていく。また、フレーズの先頭タイミングから２００ｍｓｅｃ（t1）を歌い出し期間として、この期間は無条件に模範ボーカルの混合音量を最小に設定する。それによって、フレーズの先頭部分では、溜めや若干の歌い出しの遅れを許容して、余計な模範ボーカルが出力されないようにしている。
【００２０】
＝＝＝フレーズを特定するためのデータについて＝＝＝
上記実施例では、フレーズを検出するためにガイドメロディデータを使用していた。音楽生成データのなかにはガイドメロディデータのほかに、採点基準データが含まれているものがある。また、カラオケ音楽データには必ず歌詞描出データが含まれている。そして、これら採点基準データや歌詞描出データに基づいてフレーズを検出することもできる。
【００２１】
採点基準データは、周知のカラオケ装置１における歌唱採点機能に供されるデータであり、歌唱区間におけるボーカルパートをＭＩＤＩ形式によって記述したデータという点では、ガイドメロディデータと同じであり、フレーズもガイドメロディデータと同様の方法で特定できる。しかし、ガイドメロディデータは、実際のボーカルに近い旋律を再現するためのものであり、ピッチ変化もなめらかになるように記述されている。そのため、厳密にフレーズを特定することができる。それに対し、採点基準データは、採点のしやすさ、すなわち歌唱音声から採取される歌唱音高と比較しやすいように、なめらかなピッチ変化になるような旋律ではない。また、採点不要として省略された歌唱区間が存在する場合もある。
【００２２】
歌詞描出データは、全てのカラオケ音楽データに含まれており、歌詞の一文字ごとの色変え期間を演奏時系列に対応付けされて記述されており、歌詞文字の色変え期間にない演奏時間帯を非歌唱区間とすれば、フレーズを特定することができる。歌詞文字の色変え開始タイミングは、歌唱者が色変え開始を確認してから歌唱し始めるまでの時間差を考慮し、実際のフレーズの先頭タイミングより若干早く設定されていることがある。
【００２３】
そこで、自動モードによるガイドボーカル機能を起動して楽曲演奏を行う際、楽曲によってカラオケ音楽データに含まれるデータの内容が異なることもあることから、フレームを特定するためのデータとして、ガイドメロディデータを優先的に採用し、ガイドメロディデータがない場合には採点基準データを採用し、採点基準データもない場合には歌詞描出データを採用するようにすればよい。
【００２４】
＝＝＝カラオケ音楽データについて＝＝＝
カラオケ伴奏音楽をＭＰ３形式などデジタル録音データとして収録し、その録音データを音楽生成データとしている場合もある。本願出願人らが開発した生録タイプのカラオケソフトも扱うハイブリッド型のカラオケ装置は、ＭＩＤＩ形式の音楽生成データに加え、デジタル録音データとして用意されているカラオケ楽曲についても、その録音データを再生処理してカラオケ伴奏音楽を音響出力することができる。しかも、音楽生成データがデジタル録音データであっても、その録音データと同期的に処理される歌詞描出データやガイドメロディデータ、採点基準データなどの楽譜情報が用意され、音楽生成データとこれら電子楽譜とによってカラオケ音楽データを構成している。したがって、このハイブリッド型のカラオケ装置であれば、音楽生成データ自体が楽譜情報として記述されていなくても、このカラオケ装置用に作成されたカラオケ音楽データに基づいてフレーズを特定することができる。
【図面の簡単な説明】
【００２５】
【図１】本発明の実施例におけるカラオケ装置の機能ブロック図である。
【図２】上記カラオケ装置におけるガイドボーカル機能の動作説明図である。
【符号の説明】
【００２６】
１  カラオケ装置
１１  中央制御部
１２  ハードディスク装置
１９  シンセサイザ
２０  ミキシングアンプ
２５  ＡＤＰＣＭデコーダ
２６  音量測定部
【図１】
2005148627.tif 000003
【図２】
2005148627.tif 000004